(57)【要約】【課題】  レンズ固定部材にのっている電磁波の放射を低減させた画像読取装置を提供する。【解決手段】  画像読取装置内部の光学ユニット１内に、光源２ａ及び第１ミラー２ｂよりなる第１ミラーユニット２、第２ミラー３ａ、第３ミラー３ｂよりなる第２ミラーユニット３、原稿の反射光をＣＣＤ上に結像させるレンズブロック４があり、レンズブロック内には、結像レンズ５、レンズ固定部材６、レンズ保持部材７、レンズ支持部材８、ＣＣＤ等の光電変換素子９、ＣＣＤ基板１０を備え、レンズ支持部材８が第２ミラーユニット３が移動するレール１１に取り付けてある。レンズ固定部材６をアースに落ちているレンズ支持部材８に板バネ等のアース板１２を介して接続させ、レンズ固定部材６にのっている電磁波の放射を低減させることを可能とする。【選択図】        図２
2006189670.tif 000002
【特許請求の範囲】
【請求項１】
原稿を照明するための光源と、該光源で照明された原稿からの反射光を導く第１ミラーとを備える第１走行体と、前記光源で照明された原稿からの反射光を導く第２、第３ミラーを備える第２走行体と、導かれた反射光を結像させるレンズ及びレンズ固定部材、レンズ保持部材、レンズ支持部材等からなるレンズブロックユニットと、該レンズブロックユニットにより結像された反射光を電気信号に変換する光電変換素子とを有し、前記レンズブロックユニットが、前記第１、第２走行体が移動するレールに固定されている画像読取装置において、前記レンズブロックユニットの前記レンズ支持部材と前記レンズ固定部材とを、同一のアース板と接触させたことを特徴とする画像読取装置。
【請求項２】
請求項１に記載の画像読取装置において、前記レンズブロックユニットの前記レンズ固定部材を、前記レンズ支持部材と接触させたことを特徴とする画像読取装置。
【請求項３】
請求項１または２に記載の画像読取装置において、前記アース板を、前記レンズ支持部材に介在物を使用しないで固定したことを特徴とする画像読取装置。
【請求項４】
請求項１から３のいずれかに記載の画像読取装置において、前記アース板の反射率が前記レンズ保持部材以下の材質であることを特徴とする画像読取装置。
【請求項５】
原稿照明光源の反射光を導く少なくとも一つのミラーを備える少なくとも一つの走行体と、該走行体の前記ミラーで導かれた反射光を結像させるレンズ、レンズ固定部材、レンズ保持部材及びレンズ支持部材を含むレンズブロックユニットと、該レンズブロックユニットにより結像された反射光を電気信号に変換する光電変換素子とを有し、前記レンズブロックユニットが、前記走行体が移動するレールに固定されている画像読取装置において、前記レンズ支持部材と前記レンズ固定部材とを、同一のアース板と接触させたことを特徴とする画像読取装置。
【請求項６】
請求項５に記載の画像読取装置において、前記レンズブロックユニットの前記レンズ固定部材を、前記レンズ支持部材と接触させたことを特徴とする画像読取装置。
【請求項７】
請求項５または６に記載の画像読取装置において、前記アース板を、前記レンズ支持部材に介在物を使用しないで固定したことを特徴とする画像読取装置。
【請求項８】
請求項５から７のいずれかに記載の画像読取装置において、前記アース板の反射率が前記レンズ保持部材以下の材質であることを特徴とする画像読取装置。
【請求項９】
請求項１から８のいずれかに記載の画像読取装置を備えたことを特徴とする画像形成装置。
【発明の詳細な説明】
【技術分野】
【０００１】
本発明は、スキャナ等の画像読取装置に関し、特に縮小光学系を利用した画像読取装置に関し、またこれを用いた複写機やファクシミリ等の画像形成装置に関する。
【背景技術】
【０００２】
近年、複写機等の画像形成装置における生産性向上に伴い、画像読取装置も高速化してきており、ＣＣＤの画素クロックも高速化してきている。一方、電磁波や騒音などユーザーに影響を及ぼす項目に対する関心の高まりにより、それらに対する規格、規制等も年々厳しくなってきている。
【０００３】
原稿を照明するための光源、この光源で照明された原稿からの反射光を導く第１ミラーを備える第一走行体、光源で照明された原稿からの反射光を導く第２、第３ミラーを備える第２走行体、導かれた反射光を結像させるレンズ及びレンズ固定部材、レンズ保持部材、レンズ支持部材等から構成されるレンズブロックユニット、及び結像された反射光を電気信号に変換する光電変換素子を有し、レンズブロックユニットが第２走行体が移動する第２レールに固定されている画像読取装置においては、上述のようないわば環境変化により、従来では無視できるレベルであったレンズ固定部材にのっている電磁波が、ＣＣＤの画素クロックの高速化による電磁波の増加や規制の強化により対応が必要になってきている。
【特許文献１】特開２００２−２４７５５号公報
【特許文献２】特開平７−２８４０８７号公報
【発明の開示】
【発明が解決しようとする課題】
【０００４】
本発明は、このような実情にかんがみてなしたもので、レンズ固定部材にのっている電磁波の放射を低減させることを目的とする。
【課題を解決するための手段】
【０００５】
本発明に係る画像読取装置のうち請求項１に係るものは、原稿を照明するための光源と、該光源で照明された原稿からの反射光を導く第１ミラーとを備える第１走行体と、前記光源で照明された原稿からの反射光を導く第２、第３ミラーを備える第２走行体と、導かれた反射光を結像させるレンズ及びレンズ固定部材、レンズ保持部材、レンズ支持部材等からなるレンズブロックユニットと、該レンズブロックユニットにより結像された反射光を電気信号に変換する光電変換素子とを有し、前記レンズブロックユニットが、前記第１、第２走行体が移動するレールに固定されている画像読取装置において、前記レンズブロックユニットの前記レンズ支持部材と前記レンズ固定部材とを、同一のアース板と接触させたことを特徴とする。
【０００６】
同請求項２に係るものは、請求項１記載の画像読取装置において、前記レンズブロックユニットの前記レンズ固定部材を、前記レンズ支持部材と接触させたことを特徴とする。
【０００７】
同請求項３に係るものは、請求項１または２記載の画像読取装置において、前記アース板を、前記レンズ支持部材に介在物を使用しないで固定したことを特徴とする。
【０００８】
同請求項４に係るものは、請求項１から３のいずれかに記載の画像読取装置において、前記アース板の反射率が前記レンズ保持部材以下の材質であることを特徴とする。
【０００９】
同請求項５に係るものは、原稿照明光源の反射光を導く少なくとも一つのミラーを備える少なくとも一つの走行体と、該走行体の前記ミラーで導かれた反射光を結像させるレンズ、レンズ固定部材、レンズ保持部材及びレンズ支持部材を含むレンズブロックユニットと、該レンズブロックユニットにより結像された反射光を電気信号に変換する光電変換素子とを有し、前記レンズブロックユニットが、前記走行体が移動するレールに固定されている画像読取装置において、前記レンズ支持部材と前記レンズ固定部材とを、同一のアース板と接触させたことを特徴とする。
【００１０】
同請求項６に係るものは、請求項５に記載の画像読取装置において、前記レンズブロックユニットの前記レンズ固定部材を、前記レンズ支持部材と接触させたことを特徴とする。
【００１１】
同請求項７に係るものは、請求項５または６に記載の画像読取装置において、前記アース板を、前記レンズ支持部材に介在物を使用しないで固定したことを特徴とする。
【００１２】
同請求項８に係るものは、請求項５から７のいずれかに記載の画像読取装置において、前記アース板の反射率が前記レンズ保持部材以下の材質であることを特徴とする。
【００１３】
同請求項９に係る画像形成装置は、前記請求項１から８のいずれかに記載の画像読取装置を備えたことを特徴とする。
【発明の効果】
【００１４】
本発明は、レンズ固定部材をアースに落ちているレンズ支持部材に板バネ等のアース板を介して接続させることで、レンズ固定部材にのっている電磁波の放射を低減させることが可能となる。
【発明を実施するための最良の形態】
【００１５】
以下本発明を実施するための最良の形態を、図に示す実施例を参照して説明する。
【実施例１】
【００１６】
図１は、本発明の実施対象の一例である画像形成装置であって、画像読取装置を備えたものを示す図である。図１に示す画像形成装置は主に、原稿を読み取る読み取りユニット１２１、画像を形成する画像形成部１２２、シートスルータイプの自動原稿送り装置（以下においてＡＤＦと言う。）１２３、ＡＤＦ１２３から送り出される原稿をスタックする原稿スタッカー９０、給紙カセット１２５ないし１２８を備える給紙部１２９、記録用紙をスタックする排紙トレイ１３０により構成してある。画像形成部１２２には、ベルト状をした中間転写ベルト１３１の上に複数の作像部１３２を並列配置し、各作像部１３２では、ドラム状をした感光体１３３の周囲に、感光体１３３の表面に帯電処理を行う帯電装置、画像情報を感光体１３３の表面にレーザ光で照射する露光装置、感光体１３３の表面に露光されて形成された静電潜像を可視化する現像装置、感光体１３３上に残留するトナーを除去回収するクリーニング装置等が配置してある。
【００１７】
なお図示の例は、作像部１３２が例えばイエロー（Ｙ）、マゼンタ（Ｍ）、シアン（Ｃ）、ブラック（ＢＫ）用のものとなっているカラー画像形成装置であり、中間転写ベルト１３１を回転させつつイエロー（Ｙ）からブラック（ＢＫ）までのトナーを順に現像して中間転写ベルト１３１に転写し、中間転写ベルト１３１上に現像された４色のトナー像を転写装置で用紙に転写するものであるが、本発明はこの例の画像形成装置には限定されず、種々のタイプのものに適用可能である。
【００１８】
図２は本発明に係る画像読取装置（図１の例では読み取りユニット１２１）の全体レイアウトを示す断面図、図３は要部の拡大平面図、図４はレンズブロックの拡大断面図である。図示の画像読取装置は、その内部に、光学ユニット１が存在し、その光学ユニット内には、光源２ａ及び両端支持された第１ミラー２ｂよりなる第１ミラーユニット２、同じく両端支持された第２ミラー３ａ、第３ミラー３ｂよりなる第２ミラーユニット３、及び原稿の反射光をＣＣＤ上に結像させるレンズブロック４が設けられており、図示しないホストコンピュ−タから送られてくる１ライン毎の画像読取要求の信号に応じて、第１ミラーユニット２及び第２ミラーユニット３はそれぞれ２：１の速度で原稿に沿って移動しながら逐次画像の読取を行う。
【００１９】
また、レンズブロック内には、結像レンズ５、レンズ固定部材６、レンズ保持部材７、レンズ支持部材８、ＣＣＤ等の光電変換素子９、ＣＣＤ基板１０を備えており、レンズ支持部材８が第２ミラーユニット３が移動するレール１１に取り付けてある。
【００２０】
既述のように、近年の複写機等の画像形成装置における生産性向上に伴う画像読取装置の高速化、ＣＣＤの画素クロックの高速化と、電磁波や騒音などユーザーに影響を及ぼす項目に対する関心の高まりにより、従来ならば無視できるレベルのレンズ固定部材６にのっている電磁波についても、ＣＣＤの画素クロックの高速化による電磁波の増加や規制に対応することが必要になってきている。
【００２１】
そこで本例では、レンズ固定部材６をアースに落ちているレンズ支持部材８に板バネ等のアース板１２を介して接続させることで、レンズ固定部材６にのっている電磁波の放射を低減させることを可能としている。
【実施例２】
【００２２】
図５は本発明に係る画像読取装置の要部の拡大平面図、図６はレンズブロックの拡大断面図である。
既存の構成で単に板バネ等のアース板１２を追加すると、部品点数、組立工数等が増加し、そのためにコストが増加してしまうことになる。そこで本例では、例えばレンズ固定部材６自身が直接レンズ支持部材８に接触するような構成とし、部品点数や組立工数等を増加させることをなくしている。
【実施例３】
【００２３】
また、前記の板バネ等のアース板１２を追加する構成の場合には、アース板１２をレンズ支持部材８に取り付ける際、例えばネジを使うと切り粉が付近にあるレンズに付着し、異常画像が発生する原因になるという懸念があり、また接着剤等を使うと両者の導電性が低下するため、所望の効果が得られなくなる等が考えられる。そこで、両者を取り付ける際に、介在物を使用しない構成にすることが好ましい。そうすることで前記のような懸念の解消が期待できる。
【実施例４】
【００２４】
一方、既存の構成であっても、原稿読取時に第１ミラーユニット２がレンズブロックユニット上部にきたときに、ランプの迷光をＣＣＤが拾ってしまうことがあり得る。そのため、板バネ等のアース板１２を追加すると、そこでの反射光をＣＣＤが拾ってしまうことが懸念される。そこで、板バネ等のアース板１２を追加する際に、アース板１２を反射率の低い材料にすることが好ましい。そうすることで、アース板１２での反射光を低減させることが可能となり、また、前記電磁波を低減させ得るようになる。
【００２５】
すなわち本発明では、レンズ固定部材をアースに落ちているレンズ支持部材に板バネ等のアース板を介して接続させることで、レンズ固定部材にのっている電磁波の放射を低減させることが可能となる。また、レンズ固定部材自身を直接レンズ支持部材に接触するような構成とすることで、部品点数や組立工数等を増加させることなく、コストを抑え得る。さらに、板バネ等のアース板を追加する場合には、アース板をレンズ支持部材に取り付ける際、介在物を使用しない構成とすることで、切り粉等の影響を防ぎ得る。さらに、板バネ等のアース板を追加する際に、アース板を反射率の低い材料にすることで、アース板での反射光を低減させ、同時に前記電磁波を低減させ得るようにすることが可能となる。
【図面の簡単な説明】
【００２６】
【図１】本発明の実施対象の一例である画像形成装置であって、画像読取装置を備えたものを示す図
【図２】本発明に係る画像読取装置の全体レイアウトを示す断面図
【図３】図２の例の要部の拡大平面図
【図４】同レンズブロックの拡大断面図
【図５】本発明に係る画像読取装置の第２実施例の要部の拡大平面図
【図６】同レンズブロックの拡大断面図
【符号の説明】
【００２７】
１：光学ユニット
２：第１ミラーユニット
２ａ：光源
２ｂ：第１ミラー
３：第２ミラーユニット
３ａ：第２ミラー
３ｂ：第３ミラー
４：レンズブロック
５：結像レンズ
６：レンズ固定部材
７：レンズ保持部材
８：レンズ支持部材
９：光電変換素子
１０：ＣＣＤ基板
１１：レール
１２：アース板
１２１：読み取りユニット
１２２：画像形成部
１２３：自動原稿送り装置（ＡＤＦ）
９０：原稿スタッカー
１２５〜１２８：給紙カセット
１２９：給紙部
１３０：排紙トレイ
１３１：中間転写ベルト
１３２：作像部
１３３：感光体
【図１】
2006189670.tif 000003
【図２】
2006189670.tif 000004
【図３】
2006189670.tif 000005
【図４】
2006189670.tif 000006
【図５】
2006189670.tif 000007
【図６】
2006189670.tif 000008